(57)【要約】【課題】転換器が備えられた油中電気機器内の絶縁油に溶解されているアセチレンを検出し、重大事故の前駆現象とフロート現象とを判別して油中電気機器の状態を診断する油中ガス診断装置を提供する。【解決手段】油中ガス診断装置は、転換器により配線が切り換えられる油入電気機器内の絶縁油に溶解されているアセチレンを分析することにより該油入電気機器の状態を診断する油中ガス診断装置において、上記転換器の動作回数を計数する動作計数器と、上記油入電気機器内の絶縁油に溶解されているアセチレンの量を検出する油中ガス分析装置と、あらかじめ求められた上記転換器が１回動作して配線の接続が１回切り換えられたときに発生するアセチレンの発生量と上記転換器の動作回数との積を比較値とし、上記検出されたアセチレンの量が上記比較値以上のとき重大事故の前駆現象が起こったと診断する診断装置と、を備える。【選択図】図１
2006147656.tif 000002
【特許請求の範囲】
【請求項１】
転換器により配線が切り換えられる油入電気機器内の絶縁油に溶解されているアセチレンを分析することにより該油入電気機器の状態を診断する油中ガス診断装置において、
上記転換器の動作回数を計数する動作計数器と、
上記油入電気機器内の絶縁油に溶解されているアセチレンの量を検出する油中ガス分析装置と、
あらかじめ求められた上記転換器が１回動作して配線の接続が１回切り換えられたときに発生するアセチレンの発生量と上記転換器の動作回数との積を比較値とし、上記検出されたアセチレンの量が上記比較値以上のとき重大事故の前駆現象が起こったと診断する診断装置と、
を備えることを特徴とする油中ガス診断装置。
【請求項２】
あらかじめ求められた上記転換器が１回動作して配線の接続が１回切り換えられたときに発生するアセチレンの発生量と上記転換器の動作回数との積に所定の係数を掛け算した値を上記比較値とすることを特徴とする請求項１に記載する油中ガス診断装置。
【請求項３】
上記転換器は、負荷時タップ切換器の極性切換器または転位切換器であることを特徴とする請求項１または２に記載する油中ガス診断装置。
【請求項４】
上記診断装置と上記油中ガス分析装置とが一体に構成されていることを特徴とする請求項１乃至３のいずれか一項に記載する油中ガス診断装置。
【発明の詳細な説明】
【技術分野】
【０００１】
この発明は、負荷時タップ切換器が備えられる油入電気機器内の絶縁油中のガスを分析することにより油入電気機器の状態を診断する油中ガス診断装置に関する。
【背景技術】
【０００２】
従来、油入電気機器の保守管理の効果的な方法として、油中のガス分析が各電力会社で採用されている。特に、電気共同研究会の電力用変圧器保守管理専門委員会が油中ガス分析による油中電気機器の保守管理基準をまとめ、現在までそれに基づく多くの適用実績があり、有効に活用されている（例えば、非特許文献１参照）。
また、変圧器タンクに設けられ、かつ内部に絶縁油等が封入された切換開閉器を備えた負荷時タップ切換開閉装置の異常診断方法では、切換開閉器内の絶縁油等をガス分析し、分解生成物の種類、生成量および生成比の変化から、切換開閉器の内部異常を診断している（例えば、特許文献１参照）。
【０００３】
【特許文献１】特開平７−２３５４３６号公報
【非特許文献１】電力用変圧器保守管理専門委員会、「油入変圧器の保守管理」、電気共同研究、社団法人電気共同研究会、平成１１年２月、第５４巻、第５号（その１）、ｐ．９−１４
【発明の開示】
【発明が解決しようとする課題】
【０００４】
しかし、負荷時タップ切換器を内蔵する変圧器では、通常運転において極性切換器または転位切換器（以下の説明において総称して転換器と称す。）でタップ巻線と主巻線との間の接続を切り換えるときタップ巻線および主巻線が電気的に浮遊し、タップ巻線および主巻線と油との間で静電容量により結合されたエネルギーが油中に放出され、微小放電が発生する（以下の説明において負荷時タップ切換器のフロート現象と称す。）。異常でないにも関わらず、この時発生したアセチレンが油中に溶解するため、従来の油中ガス分析では、内部の重大事故の前駆現象となる微小放電とフロート現象に伴う微小放電との判別が困難であるという問題がある。
【０００５】
この発明の目的は、転換器が備えられた油中電気機器内の絶縁油に溶解されているアセチレンを検出し、重大事故の前駆現象とフロート現象とを判別して油中電気機器の状態を診断する油中ガス診断装置を提供することである。
【課題を解決するための手段】
【０００６】
この発明に係わる油中ガス診断装置は、転換器により配線が切り換えられる油入電気機器内の絶縁油に溶解されているアセチレンを分析することにより該油入電気機器の状態を診断する油中ガス診断装置において、上記転換器の動作回数を計数する動作計数器と、上記油入電気機器内の絶縁油に溶解されているアセチレンの量を検出する油中ガス分析装置と、あらかじめ求められた上記転換器が１回動作して配線の接続が１回切り換えられたときに発生するアセチレンの発生量と上記転換器の動作回数との積を比較値とし、上記検出されたアセチレンの量が上記比較値以上のとき重大事故の前駆現象が起こったと診断する診断装置と、を備える。
【発明の効果】
【０００７】
この発明に係わる油中ガス診断装置の効果は、通常運転において転換器が動作されてタップ巻線と主巻線との間の接続が切り換えられたときに発生するアセチレンの量が予め算出された上記転換器が１回動作して配線の接続が１回切り換えられたときに発生するアセチレンの発生量と転換器の動作回数との積から得られる正常な動作において発生するアセチレンの量が求まるので、検出された油中のアセチレンの量がこの正常な動作において発生するアセチレンの量を超えているとき、重大事故の前駆現象が起こっていると診断することができる。
【発明を実施するための最良の形態】
【０００８】
図１は、この発明の実施の形態１に係わる油中ガス診断装置が装備された変圧器の構成図である。図２は、実施の形態１に係わる負荷時タップ切換器の構成図である。図３は、実施の形態１に係わる機器診断装置の機能ブロック図である。図１では、変圧器の内部が分かるように断面図として表している。
この実施の形態１に係わる油中ガス診断装置１による油中ガス診断の対象の油中電気機器として変圧器２を例に挙げて説明する。この変圧器２は、図１に示すように、変圧器本体３と負荷時タップ切換器４とから構成されており、タンク５内に収納されている。タンク５内には絶縁油６が充填されている。
また、変圧器本体３の高圧側巻線は、主巻線８とタップ巻線９から構成されている。そして、タップ巻線９には、図２に示すように、７つのタップ１１が設けられている。
【０００９】
負荷時タップ切換器４は、図１、図２に示すように、タップ巻線９に接続されているタップ１１と接触子１２との接続を切り換えるタップ選択器１３、接触子１２を切り換えてタップ１１と高圧側端子との接続を切り換える切換開閉器１５、主巻線８とタップ巻線９との接続を切り換える極性切換器１６、タップ選択器１３および切換開閉器１５を駆動する切換器駆動装置１７、極性切換器１６を動作する極性切換器動作装置１９から構成されている。
【００１０】
次に、油中ガス診断装置１について説明する。
油中ガス診断装置１は、タンク５内の絶縁油６を採油し、この採油された絶縁油６から油中ガスを抽出し、この抽出された油中ガスを分析する油中ガス分析装置２１、極性切換器１６の動作回数を計数する動作回数計数器２２、油中ガス分析結果に基づき変圧器２の状態を診断する機器診断装置２３から構成されている。動作回数計数器２２は、極性切換器動作装置１９から極性切換器１６へ送られる動作指令を計数している。動作回数計数器２２は、極性切換器動作装置１９が動作する度に動作回数に１を加算して、その動作回数のデータを機器診断装置２３に送信する。
【００１１】
油中ガス分析装置２１では、水素（Ｈ２）、二酸化炭素（ＣＯ２）、一酸化炭素（ＣＯ）、メタン（ＣＨ４）、アセチレン（Ｃ２Ｈ２）、エタン（Ｃ２Ｈ６）、エチレン（Ｃ２Ｈ４）について分析される。なお、以下の説明では、アセチレンに注目するが、常にこれらのガスについて分析されている。
【００１２】
次に、機器診断装置２３の機能について説明する。
機器診断装置２３は、図３に示すように、あらかじめ算出された極性切換器１６の動作１回当たりのアセチレンの量が記憶されている記憶手段２５、動作回数計数器２２から送られてきた極性切換器１６の動作回数と動作１回当たりのアセチレンの量との積から正常アセチレン量を得るアセチレン量算出手段２６、油中ガス分析装置２１で分析されたアセチレンの量が正常アセチレン量を超えているとき、重大事故の前駆現象が変圧器で起こったと診断する機器診断手段２７から構成されている。機器診断装置２３は、ＣＰＵ、ＲＡＭ、ＲＯＭ、インタフェース回路を有するコンピュータから構成されている。
なお、極性切換器１６の動作１回当たりに発生するアセチレンの量は、変圧器２の使用開始前に、試験的に極性切換器１６を動作して、動作前後のアセチレンの量に関する分析結果から得ている。
【００１３】
ここでアセチレンの発生の要因について説明する。１つの要因は、極性切換器１６により主巻線８とタップ巻線９との接続が切り換えられるときのフロート現象であり、微小放電が起こり、アセチレンが発生する。フロート現象は、図２に示すように、主巻線８の一端をタップ巻線９の一方の端部から他方の端部に接続を極性切換器１６により切り換えるとき、主巻線８とタップ巻線９とが電気的に浮遊することであり、フロート現象が起こると静電容量によるエネルギーが放出され、微小放電が発生する。
その他の要因は、重大事故の前駆現象としての放電現象であり、アセチレンは特に放電現象を判別する重要な指標になっている。
【００１４】
このようにフロート現象に伴って発生するアセチレンの量は、極性切換器１６の動作毎にばらつきがあるのと、発生後の経過時間に伴って減少していくので、これらを考慮して、動作１回当たりに発生するアセチレン量と動作回数とを掛け算し、その積に所定の係数を掛け算した値を診断する時点における比較値とする。なお、ばらつきや経時変化が少ないときには、動作１回当たりに発生するアセチレン量と動作回数との積を比較値としてもよい。
【００１５】
次に、変圧器本体３が正常な状態のときと変圧器本体３に重大事故の前駆現象が起こったときとの油中ガス診断装置１による診断の様子を説明する。
記憶手段２５には、極性切換器１６の動作１回当たりのアセチレンの量として、ａ（ｐｐｍ）が記憶されており、極性切換器１６の動作回数ｎ（回）が動作回数計数器２２から入力された時点で絶縁油６中の油中ガスを分析し、分析アセチレン量ｃ（ｐｐｍ）を得ている。なお、ｎは正の整数である。
このとき分析された分析アセチレン量ｃ（ｐｐｍ）であった。また、機器診断手段２７は、動作回数ｎ（回）と動作１回当たりのアセチレンの量ａ（ｐｐｍ）との積に所定の係数αを掛け算することにより正常アセチレン量α×ａ×ｎ（ｐｐｍ）を求める。そして、機器診断手段２７は、分析アセチレン量ｃ（ｐｐｍ）が正常アセチレン量α×ａ×ｎ（ｐｐｍ）を越えているか否かを判断する。変圧器本体３が正常な状態ではフロート現象に伴うアセチレンの発生だけなので、分析アセチレン量ｃ（ｐｐｍ）は、多くても正常アセチレン量α×ａ×ｎ（ｐｐｍ）以下である。
一方、重大事故の前駆現象としての微小放電が起こったときは、前駆現象としての微小放電に伴ってアセチレンが多く発生するので、分析アセチレン量ｃ（ｐｐｍ）は、少なくとも正常アセチレン量α×ａ×ｎ（ｐｐｍ）を越えた値になる。
【００１６】
このように正常な動作に伴ってアセチレンが発生する油入電気機器について、油中のアセチレンを分析して油入電気機器の状態の診断を行うとき、正常な動作に伴って発生するアセチレンの量を推測して、診断時点で分析されたアセチレンの量とその推測したアセチレンの量とを対比するので、真に重大事故に係わる前駆現象が変圧器に起こっていることを正確に診断できる。
また、アセチレンの量の増量が検出されたときでも、負荷時タップ切換器４のフロート現象によると診断されれば、運転停止や内部点検の一連の対策が不要になる。
【００１７】
また、正常アセチレン量に動作に伴うアセチレン発生量のばらつきと発生後の減少とを考慮しているので、真に重大事故に係わる前駆現象が変圧器に起こっていることをより正確に診断できる。
【００１８】
なお、実施の形態１では、極性切換器１６による主巻線８とタップ巻線９との接続の切り換えを説明したが、転位切換器により配線を切り換える変圧器に関しても同様にこの発明を適用することができる。
また、実施の形態１では変圧器２を例示したが、油中で配線が切り換えられる油入電気機器であれば、この発明に係わる油中ガス診断装置１の診断の対象になりうる。
【００１９】
実施の形態２．
図４は、この発明の実施の形態２に係わる油中ガス診断装置の構成図である。
実施の形態２に係わる油中ガス診断装置１Ｂは、機器診断装置２３Ｂが油中ガス分析装置２１Ｂの筐体内に装備されている。
【００２０】
このような油中ガス診断装置１Ｂは、機器診断装置２３Ｂを油中ガス分析装置２１Ｂの筐体内に一体として装備することにより、コンパクトな構成にすることができるので、油中ガス分析装置２１Ｂだけを運搬すればよくなる。
【図面の簡単な説明】
【００２１】
【図１】この発明の実施の形態１に係わる油中ガス診断装置が装備された変圧器の構成図である。
【図２】実施の形態１に係わる負荷時タップ切換器の構成図である。
【図３】実施の形態１に係わる機器診断装置の機能ブロック図である。
【図４】この発明の実施の形態２に係わる油中ガス診断装置が装備された変圧器の構成図である。
【符号の説明】
【００２２】
１、１Ｂ  油中ガス診断装置、２  変圧器、３  変圧器本体、４  負荷時タップ切換器、５  タンク、６  絶縁油、８  主巻線、９  タップ巻線、１１  タップ、１２  接触子、１３  タップ選択器、１５  切換開閉器、１６  極性切換器、１７  切換器駆動装置、１９  極性切換器動作装置、２１、２１Ｂ  油中ガス分析装置、２２  動作回数計数器、２３、２３Ｂ  機器診断装置、２５  記憶手段、２６  アセチレン量算出手段、２７  機器診断手段。
【図１】
2006147656.tif 000003
【図２】
2006147656.tif 000004
【図３】
2006147656.tif 000005
【図４】
2006147656.tif 000006